(57)【要約】【課題】  平板、湾曲に変化し要介護者の体を抱え込む介護補助アームを提供する。【解決手段】  Ｌ字形の筐体１と該筐体１により連結される複数の同一形状の台形筐体２と台形形状の先端部がテーパー形状を有する一の筐体３が、前記筐体１、２、３のそれぞれ端部のヒンジ４により連結構成され、前記筐体３に固定され前記筐体２、３の内部に挿通された一もしくは複数のケーブル６と該ケーブル６の端部に取り付けられ、上下に移動できるハンドル５とからなることを特徴とする介護補助アーム。【選択図】  図４−ｂ
2011104105.tif 000002
【特許請求の範囲】
【請求項１】
Ｌ字形の筐体１と該筐体１に連結される複数の同一形状の台形筐体２と台形形状の先端部がテーパー形状を有する一の筐体３が、前記筐体１、２、３のそれぞれ端部のヒンジ４により連結構成され、前記筐体３に固定され、前記筐体１、２の内部に挿通された一もしくは複数のケーブル６と該ケーブル６の端部に取り付けられ、上下に移動できるハンドル５とからなることを特徴とする介護補助アーム。
【請求項２】
前記L字形筐体１、前記筐体２、及び前記先端部がテーパー形状を有する筐体３の各連結部にストッパー７が備えられたことを特徴とする請求項１記載の介護補助アーム。
【請求項３】
前記ケーブル６は樹脂、繊維で被覆してあることを特徴とする請求項１または２記載の介護補助アーム。
【請求項４】
請求項１乃至３いずれか１項に記載の介護補助アームの前記L字形筐体１の所定の部分と前記筐体２のすべて、及び前記筐体３のすべてを所定のカバーで被覆したことを特徴とする介護補助アーム。
【発明の詳細な説明】
【技術分野】
【０００１】
平板、湾曲に変化し要介護者の体を抱え込む介護補助アームに関する。
【背景技術】
【０００２】
ベッド上の要介護者の体位の変更、移動には、抱き起こし、抱きかかえの動作が必要である。これらの動作の補助具としてスライディングシートやトランスファーボードがある。
【０００３】
スライディングシートは筒状になっており、シートの上に要介護者を乗せて移動する補助具である。トランスファーボードは平板でベッド上から車椅子へ移動の際、橋渡しに使われる。上記の補助具はあるが、抱き起こし、抱きかかえは人力に頼るほかになかった。
【発明の開示】
【発明が解決しようとする課題】
【０００４】
要介護者を抱き上げる動作は介護者の腰に大きな負担を与え、腰痛の大きな原因になるという問題があった。そこで本発明は、要介護者を抱き上げないで、体位の変更、移動ができる福祉補助具である介護補助アーム１０を提供することを目的とする。
【課題を解決するための手段】
【０００５】
Ｌ字形の筐体１と該筐体１に連結される複数の同一形状の台形筐体２と台形形状の先端部がテーパー形状を有する一の筐体３が、前記筐体１、２、３のそれぞれ端部のヒンジ４により連結構成され、前記筐体３、に固定され前記筐体２、３の内部に挿通された一もしくは複数のケーブル６と該ケーブル６の端部に取り付けられ、上下に移動できるハンドル５とからなることを特徴とする介護補助アーム１０。
【発明の効果】
【０００６】
介護補助アーム１０を一または複数を要介護者の体の下に差込み、これを湾曲化すれば同アームは要介護者の体をを抱え込む。介護者はこの装置を通して要介護者に力を伝えることができる。
【０００７】
同アームの湾曲面をベッド面で転がすように力を加えれば、要介護者の姿勢を仰向けから、横向きにまたその逆もできる。ベッド中央からベッド際への移動もこの装置を引き寄せればよい。
【０００８】
介護補助アーム１０は介護者の抱き上げ動作を大幅に減らすことができる。
【発明を実施するための最良の形態】
【０００９】
はじめに本実施例の介護補助アーム１０の図面の区分けを説明する。図１及び図２は動作状態図であり、図３、図４−a、及び図４−ｂは動作解除図である。図５、図６、及び図７は詳細図である。図８−a及び図８−bは介護補助アーム１０の要介護者への装着開始図であり、図９−a及び図９−ｂは要介護者への装着完了図である。図１０は前記介護補助アームにカバー２０を被覆した図である。
【００１０】
次に本実施例の介護補助アーム１０の構成を以下に説明する。
【００１１】
Ｌ字形の筐体１と該筐体１に連結される複数の同一形状の台形筐体２と台形形状の先端部がテーパー形状を有する一の筐体３が、前記筐体１、２、３のそれぞれ端部のヒンジ４と同ヒンジ４の閉じ位置を決めるためのストッパー７により連結構成され、前記筐体３に固定され、前記筐体１、２の内部に挿通された一もしくは複数のケーブル６と該ケーブル６の端部に取り付けられ、上下に移動できるハンドル５及び前記筐体１に取り付けられた取手８からなる。
【００１２】
前記ハンドル５をL字形筐体１のハンドル上部固定位置に収めると前記ケーブル６は前記筐体１、２、３を連結するヒンジを閉じるよう引く。筐体１、２の端面と前記筐体２、３の端面に取り付けられたストッパー７が接触するまで前記筐体２、３は湾曲する。前記筐体１、２、３は半円を有するコの字形を成形する。
【００１３】
介護補助アーム１０の装着は前記ハンドル５を図３のようにハンドル下限位置まで下げると図４−aのように前記筐体２、３はL字型筐体の水平部と一直線となる。これを図８−a及び図８―bのように要介護者の体の下に差し込む。次に図１のようにハンドル５をハンドル上限位置までひきあげ、該ハンドル５をわずかに左にずらし、該ハンドル５をハンドル上部固定位置に収めれば前記筐体１、２、３は図２のように湾曲し、図９−a及び図９−bのように筐体１、２、３等からなる介護補助アーム１０は要介護者の体を抱え込むことになる。
【００１４】
この介護補助アーム１０を一もしくは複数使い、ベッド中央の要介護者をベッ際にすべらせて引き寄せたり、該アーム１０の湾曲面外周をベッド上転がすように力を加えれば、要介護者の体を抱き上げずに仰向けの姿勢を横向きに、またその逆も行うことができる。
【図面の簡単な説明】
【００１５】
【図１】本発明の介護補助アームの正面図（動作状態図）
【図２】本発明の介護補助アームの図１の断面図
【図３】本発明の介護補助アームの正面図（動作解除図）
【図４−ａ】本発明の介護補助アームの図３の断面図
【図４−ｂ】本発明の介護補助アームの図４―aの拡大図（一部省略）
【図５】本発明の介護補助アームの図４―bのA部拡大図
【図６】本発明の介護補助アームの図４―bのＢ部拡大図
【図７】本発明の介護補助アームの図５、図６のC-C断面図
【図８−ａ】本発明の介護補助アームの装着開始正面図
【図８−ｂ】本発明の介護補助アームの装着開始側面図
【図９−ａ】本発明の介護補助アームの装着終了正面図
【図９−ｂ】本発明の介護補助アームの装着終了側面図
【図１０】本発明の介護補助アームのカバー被覆図
【符号の説明】
【００１６】
１        筐体１
２        筐体２
３        筐体３
４        ヒンジ
５        ハンドル
６        ケーブル
７        ストッパー
８        取手
１０        介護補助アーム
２０        カバー
【図１】
2011104105.tif 000003
【図２】
2011104105.tif 000004
【図３】
2011104105.tif 000005
【図４−ａ】
2011104105.tif 000006
【図４−ｂ】
2011104105.tif 000007
【図５】
2011104105.tif 000008
【図６】
2011104105.tif 000009
【図７】
2011104105.tif 000010
【図８−ａ】
2011104105.tif 000011
【図８−ｂ】
2011104105.tif 000012
【図９−ａ】
2011104105.tif 000013
【図９−ｂ】
2011104105.tif 000014
【図１０】
2011104105.tif 000015